(57)【特許請求の範囲】
【請求項１】
材料の要求化学成分に適応する材料規格及び前記材料の要求機械的性質に適応する材料規格を抽出する材料選定システムにおいて、
前記要求化学成分を設定する要求化学成分設定手段と、
前記要求機械的性質を設定する要求機械的性質設定手段と、
要求される材料分類区分を設定する要求材料分類設定手段と、
複数の材料について化学成分毎の異なる材料規格を記憶する材料成分規格メモリと、
複数の材料について機械的性質毎の異なる材料規格値や実験データを記憶する機械的性質規格メモリと
複数の材料について、用途及び材質が一定の規準で分類した材料分類毎に異なる材料規格が記憶された規準材料規格メモリと、
要求化学成分設定手段より入力手段を介して入力された要求化学成分と前記材料成分規格メモリ内の異なる材料成分規格とを比較し、その比較結果を該当規格有無判定部に入力する化学成分／材料規格比較部と、
前記化学成分／材料規格比較部での比較結果に基づいて前記該当規格の有無の判定を行い、「有」の場合に前記要求化学成分に該当する化学成分の材料規格を抽出する第１の判定部と、
前記要求機械的性質設定手段より入力手段を介して入力された要求機械的性質と前記異なる機械的性質規格メモリ内の機械的性質規格値や実験データとを比較し、その比較結果を該当規格有無判定部に入力する機械的性質／材料規格比較部と、
前記機械的性質／材料規格比較部での比較結果に基づいて前記該当規格の有無の判定を行い、「有」の場合に前記要求機械的性質に該当する機械的性質の材料規格を抽出する第２の判定部と、
前記要求機械的性質設定手段より入力手段を介して入力された要求機械的性質と前記機械的性質規格メモリ内の機械的性質規格値や実験データとを比較し、その比較結果を該当規格有無判定部に入力する材料分類／規準材料規格比較部と、
前記材料分類／規準材料規格比較部での比較結果に基づいて前記該当規格の有無の判定を行い、「有」の場合に前記要求材料分類に該当する規準材料規格を抽出する第３の判定部とよりなるコントローラを具え、
前記コントローラは、前記第１、第２及び第３の判定部により要求化学成分に該当する化学成分の材料規格、要求機械的性質に該当する機械的性質の材料規格、及び要求材料分類に該当する規規準材料規格が抽出されなかったときの夫々において前記化学成分／材料規格比較部、機械的性質／材料規格比較部及び材料分類／規準材料規格比較部の夫々の比較部の比較値である要求化学成分及び要求機械的性質を夫々許容できる範囲で以って順次変更して対応する規格を検索することにより、製品の設計計画段階で要求される化学成分に最も近い材料規格及び要求される機械的性質に最も近い材料規格を抽出するコントローラである事を特徴とする材料選定システム。
【発明の詳細な説明】
【技術分野】
【０００１】
本発明は、材料の要求化学成分及び要求機械的性質あるいは要求材料分類に適応する材料規格を抽出する材料の選定システムに関する。
【背景技術】
【０００２】
製品、特に機器類の部品の使用材料について、設計計画段階で、当該部品に必要な材料情報から、材料コスト、機械的性質等の材料物性の面から当該部品に最適の材料を選定する手段の一つとして特許文献１（特開２００２−７３７４４号公報）の技術が提供されている。
【０００３】
かかる技術においては、設計開発部門が保有する各データベースに格納された材料の価格及び材料物性情報を含む材料情報、部品情報、材料規格、現行実績情報を統合データベースに登録するとともに、設計情報を前記統合データベースに登録し、材料選定処理部において、入力された部品名及び材料の選定条件に合致する材料規格と該材料規格に合致する材料を抽出し、該抽出材料が複数の場合には最も安価な材料を選定するように構成されている。
【０００４】
【特許文献１】特開２００２−７３７４４号公報
【発明の開示】
【発明が解決しようとする課題】
【０００５】
製品の設計計画段階で、製品を構成する部品の材料を選定する場合、当該部品の必要とする化学成分（たとえばＮｉ１８％、Ｃｒ８を含む鋼）及び必要とする機械的性質（たとえば引張強さ６０ｋｇ／ｍｍ２以上、伸び５〜８％）に合致する材料規格（ＪＩＳ，ＩＳＯ，社内規格等）を簡単な手法で選出することが要求される。
また、前記部品の用途や材質（材料の特質）等のカテゴリーで分類された材料分類で、当該部品の必要とする材料分類に合致するような規準材料規格を簡単な手法で選出することも要求されることがある。
【０００６】
さらには、部品の破損事故等が発生した際において、当該部品について材料の化学成分分析を行ない、この分析結果に基づき当該部品用材料に該当する材料規格を抽出して、破損事故対策を講ずることが要求されることが多々ある。
然るに、前記特許文献１（特開２００２−７３７４４号公報）にあっては、材料選定処理部に入力された部品名及び材料の選定条件に合致する材料規格と該材料規格に合致する材料を抽出する手段が開示されているにとどまり、前記のような種々の要求に応え得る手段は示されていない。
【０００７】
本発明はかかる従来技術の課題に鑑み、部品の必要とする化学成分及び必要とする機械的性質に合致する材料規格を簡単な手法で選出可能とし、部品の用途や材質等のカテゴリーで分類された材料分類に合致するような規準材料規格を簡単な手法で選出可能としたシステムを提供することを目的とする。
【課題を解決するための手段】
【０００８】
本発明はかかる目的を達成するもので、
材料の要求化学成分に適応する材料規格及び前記材料の要求機械的性質に適応する材料規格を抽出する材料選定システムにおいて、
前記要求化学成分を設定する要求化学成分設定手段と、
前記要求機械的性質を設定する要求機械的性質設定手段と、
要求される材料分類区分を設定する要求材料分類設定手段と、
複数の材料について化学成分毎の異なる材料規格を記憶する材料成分規格メモリと、
複数の材料について機械的性質毎の異なる材料規格値や実験データを記憶する機械的性質規格メモリと
複数の材料について、用途及び材質が一定の規準で分類した材料分類毎に異なる材料規格が記憶された規準材料規格メモリと、
要求化学成分設定手段より入力手段を介して入力された要求化学成分と前記材料成分規格メモリ内の異なる材料成分規格とを比較し、その比較結果を該当規格有無判定部に入力する化学成分／材料規格比較部と、
前記化学成分／材料規格比較部での比較結果に基づいて前記該当規格の有無の判定を行い、「有」の場合に前記要求化学成分に該当する化学成分の材料規格を抽出する第１の判定部と、
前記要求機械的性質設定手段より入力手段を介して入力された要求機械的性質と前記異なる機械的性質規格メモリ内の機械的性質規格値や実験データとを比較し、その比較結果を該当規格有無判定部に入力する機械的性質／材料規格比較部と、
前記機械的性質／材料規格比較部での比較結果に基づいて前記該当規格の有無の判定を行い、「有」の場合に前記要求機械的性質に該当する機械的性質の材料規格を抽出する第２の判定部と、
前記要求機械的性質設定手段より入力手段を介して入力された要求機械的性質と前記機械的性質規格メモリ内の機械的性質規格値や実験データとを比較し、その比較結果を該当規格有無判定部に入力する材料分類／規準材料規格比較部と、
前記材料分類／規準材料規格比較部での比較結果に基づいて前記該当規格の有無の判定を行い、「有」の場合に前記要求材料分類に該当する規準材料規格を抽出する第３の判定部とよりなるコントローラを具え、
前記コントローラは、前記第１、第２及び第３の判定部により要求化学成分に該当する化学成分の材料規格、要求機械的性質に該当する機械的性質の材料規格、及び要求材料分類に該当する規規準材料規格が抽出されなかったときの夫々において前記化学成分／材料規格比較部、機械的性質／材料規格比較部及び材料分類／規準材料規格比較部の夫々の比較部の比較値である要求化学成分及び要求機械的性質を夫々許容できる範囲で以って順次変更して対応する規格を検索することにより、製品の設計計画段階で要求される化学成分に最も近い材料規格及び要求される機械的性質に最も近い材料規格を抽出するコントローラである事を特徴とする材料選定システムを提案する。
【０００９】
かかる発明によれば、前記検索により要求化学成分に該当する化学成分の材料規格が抽出されなかったとき、前記検索結果に基づき要求化学成分の検索範囲を変更し、この要求化学成分の変更値を用いて該要求化学成分変更値に対応する化学成分の材料規格を前記材料成分規格メモリ中にて検索し、前記要求化学成分変更値に該当する化学成分の材料規格を抽出することを所要の化学成分の材料規格を抽出するまで繰り返す。
【００１０】
【００１１】
又かかる発明によれば、前記検索により要求機械的性質に該当する機械的性質の材料規格が抽出されなかったとき、前記検索結果に基づき要求機械的性質の検索範囲を変更し、この要求機械的性質の変更値を用いて該要求機械的性質変更値に対応する機械的性質の材料規格値や実験データを前記機械的性質規格メモリ中にて検索し、前記要求機械的性質変更値に該当する機械的性質の材料規格を抽出することを所要の機械的性質の材料規格を抽出するまで繰り返す。
【００１２】
【００１３】
【００１４】
【００１５】
又かかる発明によれば、前記検索により要求材料分類区分に該当する規準材料規格が抽出されなかったとき、前記検索結果に基づき要求材料分類区分の検索範囲を変更し、この要求材料分類区分の変更値を用いて該要求材料分類区分変更値に対応する規準材料規格を前記規準材料規格メモリ中にて検索し、前記要求材料分類区分変更値に該当する規準材料規格を抽出することを所要の規準材料規格を抽出するまで繰り返す。
【００１６】
【００１７】
【００１８】
【００１９】
【００２０】
【００２１】
【発明の効果】
【００２２】
前記発明によれば、製品の設計計画段階で製品を構成する部品の材料を選定する際において、コントローラの材料成分規格メモリに予め複数の材料について化学成分毎の材料規格を記憶し、及び／または該コントローラの機械的性質規格メモリに機械的性質毎の材料規格値や実験データを記憶し、要求化学成分設定手段で設定された当該部品用材料の必要とする化学成分即ち要求化学成分及び／または要求機械的性質設定手段で設定された当該部品用材料の必要とする機械的性質即ち要求機械的性質を該コントローラに入力し、該コントローラにおいて、前記材料成分規格メモリ中の化学成分毎の複数の材料規格から前記要求化学成分に該当する化学成分の材料規格を検索、抽出し、及び／または前記機械的性質規格メモリ中の機械的性質毎の複数の材料規格値や実験データから前記要求機械的性質に該当する機械的性質の材料規格を検索、抽出して、前記コントローラにおける前記化学成分及び機械的性質の抽出結果を表示する表示手段に表示するので、製品の設計計画段階で、製品を構成する複数の部品についての材料を、当該部品用材料の必要とする化学成分即ち要求化学成分及び／または当該部品用材料の必要とする機械的性質即ち要求機械的性質をコントローラに入力すれば、該コントローラにおいて自動的に前記要求化学成分及び／または要求機械的性質に合致する材料規格（ＪＩＳ，ＩＳＯ，社内規格等）を簡単な手法で、かつ確実に選出することが可能となる。
したがって、かかる発明によれば、前記のような化学成分毎及び／または機械的性質毎の材料選出を簡単かつ確実に行ない得ることにより、製品の設計計画の効率化をなすことができる。
【００２３】
また、前記発明によれば、前記コントローラにおいて、前記検索により要求化学成分に該当する化学成分の材料規格が抽出されなかったとき、及び／または前記検索により要求機械的性質に該当する機械的性質の材料規格が抽出されなかったとき、前記検索結果に基づき要求化学成分の検索範囲を変更し、この要求化学成分の変更値に対応する化学成分の材料規格を検索し、前記要求化学成分変更値に該当する化学成分の材料規格を抽出することを所要の化学成分の材料規格を抽出するまで繰り返し、及び／または前記検索結果に基づき要求機械的性質の検索範囲を変更し、この要求機械的性質の変更値に対応する機械的性質の材料規格値や実験データを検索し、前記要求機械的性質変更値に該当する機械的性質の材料規格を抽出することを所要の機械的性質の材料規格を抽出するまで繰り返すことにより、製品の設計計画段階で、製品を構成する複数の部品の材料について、前記方法で当該部品用材料の要求化学成分及び／または要求機械的性質に合致する材料規格が得られなかった場合でも、要求化学成分の検索範囲を変更しあるいは要求機械的性質の検索範囲を変更して対応する化学成分の材料規格あるいは機械的性質の材料規格値や実験データを検索することにより、製品の設計計画段階で要求される化学成分に最も近い材料規格あるいは要求される機械的性質に最も近い材料規格を迅速に抽出することが可能となって、製品の設計計画の効率化を実現できる。
【００２４】
前記発明によれば、製品の設計計画段階で製品を構成する部品の材料を選定する際において、コントローラの規準材料規格メモリに予め複数の材料について用途、材質等一定の規準で分類した材料規格を記憶し、要求材料分類設定手段で設定された要求される材料分類区分即ち要求材料分類区分を該コントローラに入力し、該コントローラにおいて、前記規準材料規格メモリ中の材料規格から前記要求材料分類区分に該当する規準材料規格を検索、抽出し、前記コントローラにおける前記規準材料規格の抽出結果を表示する表示手段に表示するので、製品の設計計画段階で、製品を構成する複数の部品についての材料を、当該部品用材料の用途、材質等の要求材料分類をコントローラに入力すれば、該コントローラにおいて自動的に要求材料分類に合致する材料規格を簡単な手法で、かつ確実に選出することが可能となる。
したがって、かかる発明によれば、前記のような材料分類による材料選出を簡単かつ確実に行ない得ることにより、製品の設計計画の効率化をなすことができる。
【００２５】
また記発明によれば、前記コントローラにおいて、前記検索により要求材料分類区分に該当する規準材料規格が抽出されなかったとき、前記検索結果に基づき要求材料分類区分の検索範囲を変更し、この要求材料分類区分の変更値に対応する規準材料規格を検索し、前記要求材料分類区分変更値に該当する規準材料規格を抽出することを所要の材料分類区分の材料規格を抽出するまで繰り返すようにしたので、製品の設計計画段階で、製品を構成する複数の部品の材料について、前記方法で当該部品用材料の要求材料分類が得られなかった場合でも、要求材料分類の検索範囲を変更して、対応する規準材料規格を検索することにより、製品の設計計画段階で要求される材料分類に最も近い材料規格を迅速に抽出することが可能となって、製品の設計計画の効率化を実現できる。
【００２６】
前記発明によれば、コントローラの材料成分規格メモリに予め複数の材料について化学成分毎の材料規格を記憶し、化学成分分析手段で破損部品等について該部品の構成材料の化学成分を分析して、この化学成分の分析値を前記コントローラに入力し、該コントローラにおいて、この化学成分の分析値と前記材料成分規格メモリ中の化学成分の材料規格とを対比して、前記化学成分分析値に該当する化学成分の材料規格を前記材料成分規格メモリから抽出するので、破損部品等についての化学成分分析結果に基づき当該部品の該当材料規格を容易に抽出可能となり、迅速にかつ効果的な破損事故対策を施行することができる。
【００２７】
前記発明によれば、コントローラの部品別材料スペック設定メモリに予め複数の部品について化学成分を記憶し、化学成分分析手段で部品の構成材料の化学成分を分析して、この化学成分の分析値を前記コントローラに入力し、該コントローラにおいて、前記化学成分分析手段から入力される化学成分の分析値と前記部品別材料スペック設定メモリ中の部品別化学成分とを対比することにより前記化学成分分析値に該当する化学成分を有する部品を前記部品別材料スペック設定メモリから抽出するので、潤滑油に混入した金属粉の化学成分分析値を用いて、該化学成分分析値に合致する化学成分を有する部品を抽出することが可能となる。
これにより、潤滑油に混入した金属粉の化学成分分析結果によって、製品中の破損部品を迅速にかつ精度良く検知することが可能となって、迅速にかつ効果的な破損事故対策を施行することができる。
【発明を実施するための最良の形態】
【００２８】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００２９】
図６は本発明の実施例に係る材料選定システム及び材料の化学成分判定システムの全体構成図である。
図において、１００は材料検索システム（コントローラ）で、材料データベース１０２をそなえ、材料データ入力手段１０１から入力される材料の要求化学成分、要求機械的性質、要求材料分類に基づき、材料の化学成分検索１０３、材料の機械的性質検索１０４、材料分類検索１０５等を行う。
前記材料データベース１０２には、複数材料の化学成分、機械的性質、材料分類等が記憶されている。
また、前記材料検索システム（コントローラ）１００での検索結果は、一旦前記材料データベース１０２に格納された後、該当化学成分データ表示手段１０６、該当機械的性質データ表示手段１０７、該当材料分類データ表示手段１０８等に表示される。１０９は関連ファイル表示手段である。
【実施例１】
【００３０】
次に、図１は、本発明の第１実施例に係る材料選定システムの制御ブロック図で、図６における材料検索システム（コントローラ）１００における材料選定の制御手順を示すものである。
図１において、１は要求化学成分設定手段であり、製品の設計計画段階で、製品を構成する部品の材料について必要とする化学成分即ち要求化学成分を設定する。この要求化学成分は、化学成分入力手段４を介して化学成分／材料規格比較部７に入力される。
６は材料成分規格メモリで、ＪＩＳ、ＩＳＯ、社内規格等による材料成分規格が複数の材料について設定されている。即ち、前記材料成分規格メモリ６においては、図３のように、異なる材料規格（材料成分規格）Ａ，Ｂ，Ｃ・・・・Ｚ毎に規定された材料規格の
化学成分ａ，ｂ，ｃ，ｚが好ましくはマトリックスで設定されている。
【００３１】
前記化学成分／材料規格比較部７においては、前記化学成分入力手段４から入力された要求化学成分と前記材料成分規格メモリ６内の材料成分規格とを比較し、その結果を該当規格有無判定部１０に入力する。
該当規格有無判定部１０においては、前記化学成分／材料規格比較部７での比較結果を判定して前記要求化学成分に該当する化学成分の材料規格を抽出する。そして、前記要求化学成分と該要求化学成分に対応して抽出された材料規格は、表示装置２０に表示される。
【００３２】
前記該当規格有無判定部１０において、前記要求化学成分に該当する化学成分の材料規格が抽出されなかった場合は、その判定結果は化学成分検索値変更手段１２に入力される。そして、該化学成分検索値変更手段１２においては、前記該当規格有無判定部１０における判定結果を参照して、要求化学成分の検索範囲を許容できる範囲で以って変更し、その変更値を前記要求化学成分設定手段１にフィードバックする。
そして該要求化学成分設定手段１から前記要求化学成分変更値が、化学成分入力手段４を介して前記化学成分／材料規格比較部７に入力されて、前記と同様な演算、制御をおこなう。
以上の制御、演算を所要の化学成分の材料規格を抽出するまで繰り返し、最終的な要求化学成分と該要求化学成分に対応して抽出された材料規格は、表示装置２０に表示される。
【００３３】
また、図１において、２は要求機械的性質設定手段であり、製品の設計計画段階で製品を構成する部品の材料について必要とする機械的性質即ち要求機械的性質を設定する。この要求機械的性質は、機械的性質入力手段５を介して機械的性質／材料規格比較部９に入力される。
８は機械的性質規格メモリで、ＪＩＳ、ＩＳＯ、社内規格等による材料の機械的性質規格が複数の材料について設定されている。即ち、前記機械的性質規格メモリ８においては、図４のように、異なる材料規格（機械的性質規格）Ａ，Ｂ，Ｃ・・・・Ｚ毎に規定された材料規格値や実験データの機械的性質ａ，ｂ，ｃ，ｚが好ましくはマトリックスで設定されている。
【００３４】
前記機械的性質／材料規格比較部９においては、前記機械的性質入力手段５から入力された要求機械的性質と前記機械的性質規格メモリ８内の機械的性質規格値や実験データとを比較し、その結果を該当規格有無判定部１１に入力する。
該当規格有無判定部１１においては、前記機械的性質／材料規格比較部９での比較結果を判定して前記要求機械的性質に該当する機械的性質の材料規格を抽出する。そして、前記要求機械的性質と該要求機械的性質に対応して抽出された材料規格値や実験データは、表示装置２０に表示される。
【００３５】
前記該当規格有無判定部１１において、前記要求機械的性質に該当する機械的性質の材料規格が抽出されなかった場合は、その判定結果は機械的性質検索値変更手段１３に入力される。そして、該機械的性質検索値変更手段１３においては、前記該当規格有無判定部１１における判定結果を参照して、要求機械的性質の検索範囲を許容できる範囲で以って変更し、その変更値を前記要求機械的性質設定手段２にフィードバックする。
そして該要求化学成分設定手段２から前記要求機械的性質変更値が、機械的性質入力手段５を介して前記機械的性質／材料規格比較部９に入力されて、前記と同様な演算、制御をおこなう。
以上の制御、演算を所要の機械的性質の材料規格を抽出するまで繰り返し、最終的な要求機械的性質と該要求機械的性質に対応して抽出された材料規格値や実験データは、表示装置２０に表示される。
【００３６】
また、図１において、３は要求材料分類設定手段であり、製品の設計計画段階で、製品を構成する部品の材料を用途、材質等一定の規準で分類した材料分類区分のうちから必要とする材料分類区分即ち要求材料分類を設定する。この要求材料分類は、材料分類入力手段１４を介して材料分類／規準材料規格比較部１５に入力される。
１６規準材料規格メモリで、複数の材料について用途、材質等一定の規準で分類した規準材料規格が複数の材料について設定されている。即ち、前記規準材料規格メモリ１６においては、用途、材質等一定の規準で分類した材料分類毎に規定された材料規格が好ましくはマトリックスで設定されている。
【００３７】
前記材料分類／規準材料規格比較部１５においては、前記材料分類入力手段１４から入力された要求材料分類と前記規準材料規格メモリ１６内の規準材料規格とを比較し、その結果を該当材料分類判定部１７に入力する。
該当材料分類判定部１７においては、前記材料分類／規準材料規格比較部１５での比較結果を判定して前記要求材料分類に該当する規準材料規格を抽出する。そして、前記要求材料分類と該要求材料分類に対応して抽出された規準材料規格は、表示装置２０に表示される。
【００３８】
前記該当材料分類判定部１７において、前記要求材料分類に該当する規準材料規格が抽出されなかった場合は、その判定結果は材料分類検索値変更手段１８に入力される。そして、該材料分類検索値変更手段１８においては、前記該当材料分類判定部１７における判定結果を参照して、要求材料分類の検索範囲を許容できる範囲で以って変更し、その変更値を前記要求材料分類設定手段３にフィードバックする。
そして該要求材料分類設定手段３から前記要求材料分類変更値が、材料分類入力手段１４を介して前記材料分類／規準材料規格比較部１５に入力されて、前記と同様な演算、制御をおこなう。
以上の制御、演算を所要の規準材料規格を抽出するまで繰り返し、最終的な要求材料分類と該要求材料分類に対応して抽出された規準材料規格は、表示装置２０に表示される。
【００３９】
以上のように、かかる第１実施例によれば、製品の設計計画段階で製品を構成する部品の材料を選定する際において、コントローラ１００の材料成分規格メモリ６に予め複数の材料について化学成分毎の材料規格を記憶するとともに該コントローラ１００の機械的性質規格メモリ８に機械的性質毎の材料規格値や実験データを記憶し、要求化学成分設定手段１で設定された当該部品用材料の必要とする化学成分即ち要求化学成分及び要求機械的性質設定手段２で設定された当該部品用材料の必要とする機械的性質即ち要求機械的性質を該コントローラ１００に入力し、該コントローラ１００において、前記材料成分規格メモリ６中の化学成分毎の複数の材料規格から前記要求化学成分に該当する化学成分の材料規格を検索、抽出するとともに前記機械的性質規格メモリ８中の機械的性質毎の複数の材料規格値や実験データから前記要求機械的性質に該当する機械的性質の材料規格を検索、抽出し、前記コントローラ１００における前記化学成分及び機械的性質の抽出結果を表示する表示手段２０に表示するので、製品の設計計画段階で、製品を構成する複数の部品についての材料を、当該部品用材料の必要とする化学成分即ち要求化学成分及び当該部品用材料の必要とする機械的性質即ち要求機械的性質をコントローラ１００に入力すれば、該コントローラ１００において自動的に前記要求化学成分及び要求機械的性質に合致する材料規格（ＪＩＳ，ＩＳＯ，社内規格等）を簡単な手法で、かつ確実に選出することが可能となる。
したがって、かかる第１実施例によれば、前記のような化学成分毎及び機械的性質毎の材料選出を簡単かつ確実に行なうことができる。
【００４０】
また、前記第１実施例によれば、前記コントローラ１００において、前記検索により要求化学成分に該当する化学成分の材料規格が抽出されなかったとき、あるいは前記検索により要求機械的性質に該当する機械的性質の材料規格が抽出されなかったとき、前記検索結果に基づき要求化学成分の検索範囲を変更しこの要求化学成分の変更値に対応する化学成分の材料規格を検索し前記要求化学成分変更値に該当する化学成分の材料規格を抽出することを所要の化学成分の材料規格を抽出するまで繰り返し、あるいは前記検索結果に基づき要求機械的性質の検索範囲を変更しこの要求機械的性質の変更値に対応する機械的性質の材料規格値や実験データを検索し前記要求機械的性質変更値に該当する機械的性質の材料規格を抽出することを所要の機械的性質の材料規格を抽出するまで繰り返すことにより、製品の設計計画段階で、製品を構成する複数の部品の材料について、前記方法で当該部品用材料の要求化学成分あるいは要求機械的性質に合致する材料規格が得られなかった場合でも、要求化学成分の検索範囲を変更しあるいは要求機械的性質の検索範囲を変更して対応する化学成分の材料規格あるいは機械的性質の材料規格値や実験データを検索することにより、製品の設計計画段階で要求される化学成分に最も近い材料規格あるいは要求される機械的性質に最も近い材料規格を迅速に抽出することが可能となる。
【００４１】
さらに前記第１実施例によれば、製品の設計計画段階で製品を構成する部品の材料を選定する際において、コントローラ１００の規準材料分類メモリ１６に予め複数の材料について用途、材質等一定の規準で分類した材料規格を記憶し、要求材料分類設定手段３で設定された要求される材料分類区分即ち要求材料分類区分を該コントローラ１００に入力し、該コントローラ１００において、前記規準材料分類メモリ１６中の材料規格から前記要求材料分類区分に該当する規準材料規格を検索、抽出し、前記コントローラ１００における前記規準材料規格の抽出結果を表示する表示手段２０に表示するので、製品の設計計画段階で、製品を構成する複数の部品についての材料を、当該部品用材料の用途、材質等の要求材料分類をコントローラ１００に入力すれば、該コントローラ１００において自動的に要求材料分類に合致する材料規格を簡単な手法で、かつ確実に選出することが可能となる。
【００４２】
また、前記コントローラ１００において、前記検索により要求材料分類区分に該当する規準材料規格が抽出されなかったとき、前記検索結果に基づき要求材料分類区分の検索範囲を変更し、この要求材料分類区分の変更値に対応する規準材料規格を検索し、前記要求材料分類区分変更値に該当する規準材料規格を抽出することを所要の材料分類区分の材料規格を抽出するまで繰り返すようにしたので、製品の設計計画段階で、製品を構成する複数の部品の材料について、前記方法で当該部品用材料の要求材料分類が得られなかった場合でも、要求材料分類の検索範囲を変更して対応する規準材料規格を検索することにより、製品の設計計画段階で要求される材料分類に最も近い材料規格を迅速に抽出することが可能となる。
【実施例２】
【００４３】
図２は本発明の第２実施例に係る材料の化学成分判定システムの制御ブロック図である。
かかる第２実施例において、３０は材料の化学成分を分析する化学成分分析手段で、該化学成分分析手段３０での材料の化学成分の分析値は化学成分分析値入力手段３１からコントローラ１００の成分分析値／材料規格比較部３３及び成分分析値／部品スペック比較部３５に入力される。
３２は材料成分規格メモリで、複数の材料について化学成分毎の材料規格が記憶されている。
【００４４】
前記成分分析値／材料規格比較部３３においては、前記化学成分分析手段３１からの材料の化学成分の分析値と前記材料成分規格メモリ３２に記憶されている材料規格の化学成分とを突き合わせることにより前記化学成分分析値に対応する材料規格の化学成分を検索し、その検索結果を該当規格有無判定部３６に入力する。
該当規格有無判定部３６においては、前記検索結果に基づき前記化学成分分析値に該当する化学成分を有する材料規格を抽出する。
以上による材料の化学成分分析値及び抽出された材料規格は表示装置２０に表示される。
【００４５】
また３４は部品別材料スペック設定メモリで、図５のように、製品を構成する複数の部品Ａ，Ｂ・・・・Ｚに対応する化学成分ａ，ｂ・・・・ｚが好ましくはマトリックス状にに記憶されている。
前記成分分析値／部品スペック比較部３５においては、前記化学成分分析手段３１からの材料の化学成分の分析値と前記部品別材料スペック設定メモリ３４に記憶されている部品（Ａ，Ｂ・・・・Ｚ）毎の化学成分（ａ，ｂ・・・・ｚ）とを突き合わせることにより、前記化学成分分析値に対応する化学成分を有する部品を検索し、その検索結果を該当部品抽出部３７に入力する。
該当部品抽出部３７においては、前記検索結果に基づき前記化学成分分析値に該当する化学成分を有する部品名を抽出する。
以上による材料の化学成分分析値及び抽出された部品名は表示装置２０に表示される。
【００４６】
以上の第２実施例によれば、コントローラ１００の材料成分規格メモリ３２に予め複数の材料について化学成分毎の材料規格を記憶し、化学成分分析手段３０で破損部品等について該部品の構成材料の化学成分を分析して、この化学成分の分析値を前記コントローラ１００に入力し、該コントローラ１００において、この化学成分の分析値と前記材料成分規格メモリ３２中の化学成分の材料規格とを対比して、前記化学成分分析値に該当する化学成分の材料規格を前記材料成分規格メモリ３２から抽出するので、破損部品等についての化学成分分析結果に基づき当該部品の該当材料規格を容易に且つ迅速に抽出可能となる。
【００４７】
またかかる第２実施例によれば、コントローラ１００の部品別材料スペック設定メモリ３４に予め複数の部品について化学成分を記憶し、化学成分分析手段３０で部品の構成材料の化学成分を分析して、この化学成分の分析値を前記コントローラ１００に入力し、該コントローラ１００において、前記化学成分分析手段３０から入力される化学成分の分析値と前記部品別材料スペック設定メモリ３４中の部品別化学成分とを対比することにより前記化学成分分析値に該当する化学成分を有する部品を前記部品別材料スペック設定メモリ３４から抽出するので、潤滑油に混入した金属粉の化学成分分析値を用いて、該化学成分分析値に合致する化学成分を有する部品を抽出することが可能となり、製品中の破損部品を迅速にかつ精度良く検知することが可能となる。
【産業上の利用可能性】
【００４８】
本発明によれば、部品の必要とする化学成分及び必要とする機械的性質に合致する材料規格を簡単な手法で選出可能となり、また部品の用途や材質等のカテゴリーで分類された材料分類に合致するような規準材料分類を簡単な手法で選出可能となって、製品の設計計画の効率化を実現できるとともに、破損部品等についての化学成分分析結果に基づき当該部品の該当材料規格を容易に抽出可能となり、効果的な破損事故対策を施行し得る材料選定及び化学成分判定システムを提供することができる。
【図面の簡単な説明】
【００４９】
【図１】本発明の第１実施例に係る材料選定システムの制御ブロック図である。
【図２】本発明の第２実施例に係る材料の化学成分判定システムの制御ブロック図である。
【図３】前記第１実施例における化学成分と材料規格との対照表である。
【図４】前記第１実施例における機械的性質と材料規格との対照表である。
【図５】前記第２実施例における化学成分と部品名との対照表である。
【図６】本発明の第１、第２実施例に係る材料選定システム及び材料の化学成分判定システムの全体構成図である。
【符号の説明】
【００５０】
１    要求化学成分設定手段
２    要求機械的性質設定手段
３    要求材料分類設定手段
４    化学成分入力手段
５    機械的性質入力手段
６    材料成分規格メモリ
７    化学成分／材料規格比較部
８    機械的性質規格メモリ
９    機械的性質／材料規格比較部
１０  該当規格有無判定部
１１  該当規格有無判定部
１２  化学成分検索値変更手段
１３  機械的性質検索値変更手段
１４  材料分類入力手段
１５  材料分類／規準材料規格比較部
１６  規準材料分類メモリ
１７  該当材料分類判定部
１８  材料分類検索値変更手段
２０  表示装置
３０  化学成分分析手段
３１  化学成分分析値入力手段
３２  材料成分規格メモリ
３３  成分分析値／材料規格比較部
３４  部品別材料スペック設定メモリ
３５  成分分析値／部品スペック比較部
３６  該当規格有無判定部
３７  該当部品抽出部
１００  コントローラ（材料検索システム）
【図１】
0004599249.tif 000002
【図２】
0004599249.tif 000003
【図３】
0004599249.tif 000004
【図４】
0004599249.tif 000005
【図５】
0004599249.tif 000006
【図６】
0004599249.tif 000007